【手続補正書】
【提出日】平成16年5月27日(2004.5.27)
【手続補正１】
【補正対象書類名】明細書
【補正対象項目名】発明の名称
【補正方法】変更
【補正の内容】
【発明の名称】消耗品回収処理方法、消耗品回収システムおよび消耗品回収処理プログラムを記録した記録媒体ならびに消耗品
【手続補正２】
【補正対象書類名】明細書
【補正対象項目名】特許請求の範囲
【補正方法】変更
【補正の内容】
【特許請求の範囲】
【請求項１】
個々のユーザに関するデータが登録されたユーザプロファイルを作成しておき、
あるユーザによって消耗品が所定の廃棄の仕方で廃棄処理されると、そのユーザに対して設定されたユーザ固有の情報に基づいて前記ユーザプロファイルの所定の項目に対しデータの蓄積または更新処理を行い、
そのユーザプロファイルを参照することで、個々のユーザに対する特典の発行を判断し、特典を発行すべきと判断した場合には、前記ユーザプロファイルに記述された内容に基づいた特典発行処理を行うことを特徴とする消耗品回収処理方法。
【請求項２】
前記ユーザプロファイルに登録される個々のユーザに関するデータの項目には、個々のユーザの過去の廃棄状況履歴データが存在し、その他に、個々のユーザの嗜好を示すデータ、個々のユーザの特典の受け方を示すデータの少なくとも１つが含まれ、
あるユーザに特典を与える際、そのユーザプロファイルに登録されているこれらのデータを参照して特典内容を作成することを特徴とする請求項１記載の消耗品回収処理方法。
【請求項３】
前記廃棄状況履歴データは、個々のユーザの消耗品廃棄頻度を示すデータ、廃棄した消耗品の種類を示すデータ、廃棄した消耗品の量を示すデータ、消耗品を廃棄した時の天候を示すデータ、消耗品を廃棄した日時を示すデータの少なくとも１つを含み、これらのデータはユーザが廃棄を行うごとに新たに蓄積または更新がなされ、あるユーザに特典を発行する場合には、そのユーザのユーザプロファイルに記載されているこれらそれぞれのデータに応じて特典内容を変えることを特徴とする請求項２記載の消耗品回収処理方法。
【請求項４】
前記廃棄した消耗品の種類を示すデータは、あるユーザによって消耗品が所定の廃棄の仕方で廃棄処理された際に、その消耗品に設定された消耗品固有の情報から取得されることを特徴とする請求項３記載の消耗品回収処理方法。
【請求項５】
前記ユーザ固有の情報は、それぞれの消耗品に付され、あるユーザによって消耗品が所定の廃棄の仕方で廃棄処理された際に、当該消耗品から取得されることを特徴とする請求項１から４のいずれかに記載の消耗品回収処理方法。
【請求項６】
前記ユーザ固有の情報が消耗品に付される場合、当該ユーザ固有の情報を消耗品に付す手段としては、個々のユーザ固有の情報が記述されたラベルを個々のユーザごとに作成しておき、そのラベルを消耗品に添付するか、消耗品に直接印刷可能である場合には個々のユーザ固有の情報を消耗品に印刷するかの少なくとも一方を用いてユーザ固有の情報を消耗品に付すことを特徴とする請求項５記載の消耗品回収処理方法。
【請求項７】
前記ユーザ固有の情報は、ユーザが所持可能な記録媒体に記録され、あるユーザによって消耗品が所定の廃棄の仕方で廃棄処理された際に、その記録媒体から取得されるようにしたことを特徴とする請求項１から４のいずれかに記載の消耗品回収処理方法。
【請求項８】
前記消耗品の廃棄時において得られるユーザ固有の情報およびユーザプロファイルは、当該消耗品の製造者または当該消耗品の回収を行う回収者とは異なるデータ管理者が管理することを可能とした請求項１から７のいずれかに記載の消耗品回収処理方法。
【請求項９】
個々のユーザに関するデータが登録されたユーザプロファイルと、あるユーザによって消耗品が所定の廃棄の仕方で廃棄処理されると、そのユーザに対して設定されたユーザ固有の情報に基づいて前記ユーザプロファイルの所定の項目に対しデータの蓄積または更新処理を行う手段とを有し、
そのユーザプロファイルを参照することで、個々のユーザに対する特典の発行を判断し、特典を発行すべきと判断した場合には、前記ユーザプロファイルに記述された内容に基づいた特典発行処理を行うことを特徴とする消耗品回収システム。
【請求項１０】
前記ユーザプロファイルに登録される個々のユーザに関するデータの項目には、個々のユーザの過去の廃棄状況履歴データが存在し、その他に、個々のユーザの嗜好を示すデータ、個々のユーザの特典の受け方を示すデータの少なくとも１つが含まれ、
あるユーザに特典を与える際、そのユーザプロファイルに登録されているこれらのデータを参照して特典内容を作成することを特徴とする請求項９記載の消耗品回収システム。
【請求項１１】
前記廃棄状況履歴データは、個々のユーザの消耗品廃棄頻度を示すデータ、廃棄した消耗品の種類を示すデータ、廃棄した消耗品の量を示すデータ、消耗品を廃棄した時の天候を示すデータ、消耗品を廃棄した日時を示すデータの少なくとも１つを含み、これらのデータはユーザが廃棄を行うごとに新たに蓄積または更新がなされ、あるユーザに特典を発行する場合には、そのユーザのユーザプロファイルに記載されているこれらそれぞれのデータに応じて特典内容を変えることを特徴とする請求項１０記載の消耗品回収システム。
【請求項１２】
前記廃棄した消耗品の種類を示すデータは、あるユーザによって消耗品が所定の廃棄の仕方で廃棄処理された際に、その消耗品に設定された消耗品固有の情報から取得されることを特徴とする請求項１１記載の消耗品回収システム。
【請求項１３】
前記ユーザ固有の情報は、それぞれの消耗品に付され、あるユーザによって消耗品が所定の廃棄の仕方で廃棄処理された際に、当該消耗品から取得されることを特徴とする請求項９から１２のいずれかに記載の消耗品回収システム。
【請求項１４】
前記ユーザ固有の情報が消耗品に付される場合、当該ユーザ固有の情報を消耗品に付す手段としては、個々のユーザ固有の情報が記述されたラベルを個々のユーザごとに作成しておき、そのラベルを消耗品に添付するか、消耗品に直接印刷可能である場合には個々のユーザ固有の情報を消耗品に印刷するかの少なくとも一方を用いてユーザ固有の情報を消耗品に付すことを特徴とする請求項１３記載の消耗品回収システム。
【請求項１５】
前記ユーザ固有の情報は、ユーザが所持可能な記録媒体に記録され、消耗品廃棄時にその記録媒体から取得されることを特徴とする請求項９から１２のいずれかに記載の消耗品回収システム。
【請求項１６】
前記消耗品の廃棄時において得られるユーザ固有の情報およびユーザプロファイルは、当該消耗品の製造者または当該消耗品の回収を行う回収者とは異なるデータ管理者が管理することを可能とした請求項９から１５のいずれかに記載の消耗品回収システム。
【請求項１７】
個々のユーザに関するデータが登録されたユーザプロファイルを作成しておき、そのユーザプロファイルを参照することによって、所定の廃棄の仕方で廃棄処理をなしたユーザに所定の特典を与えるようにした消耗品回収処理プログラムを記録した記録媒体であって、その処理プログラムは、
あるユーザによって消耗品が所定の廃棄の仕方で廃棄処理されると、そのユーザに対して設定されたユーザ固有の情報に基づいて前記ユーザプロファイルの所定に項目に対しデータの蓄積または更新処理を行う手順と、
そのユーザプロファイルを参照することで個々のユーザに対する特典の発行を判断する手順と、
特典を発行すべきと判断した場合には、前記ユーザプロファイルに記述された内容に基づいた特典発行処理を行う手順と、
を含むことを特徴とする消耗品回収処理プログラムを記録した記録媒体。
【請求項１８】
前記ユーザプロファイルに登録される個々のユーザに関するデータの項目には、個々のユーザの過去の廃棄状況履歴データが存在し、その他に、個々のユーザの嗜好を示すデータ、個々のユーザの特典の受け方を示すデータの少なくとも１つが含まれ、
あるユーザに特典を与える際、そのユーザプロファイルに登録されているこれらのデータを参照して特典内容を作成することを特徴とする請求項１７記載の消耗品回収処理プログラムを記録した記録媒体。
【請求項１９】
前記廃棄状況履歴データは、個々のユーザの消耗品廃棄頻度を示すデータ、廃棄した消耗品の種類を示すデータ、廃棄した消耗品の量を示すデータ、消耗品を廃棄した時の天候を示すデータ、消耗品を廃棄した日時を示すデータの少なくとも１つを含み、これらのデータはユーザが廃棄を行うごとに新たに蓄積または更新がなされ、あるユーザに特典を発行する場合には、そのユーザのユーザプロファイルに記載されているこれらそれぞれのデータに応じて特典内容を変えることを特徴とする請求項１８記載の消耗品回収処理プログラムを記録した記録媒体。
【請求項２０】
前記廃棄した消耗品の種類を示すデータは、あるユーザによって消耗品が所定の廃棄の仕方で廃棄処理された際に、その消耗品に設定された消耗品固有の情報から取得されることを特徴とする請求項１９記載の消耗品回収処理プログラムを記録した記録媒体。
【請求項２１】
前記ユーザ固有の情報は、それぞれの消耗品に付され、あるユーザによって消耗品が所定の廃棄の仕方で廃棄処理された際に、当該消耗品から取得されることを特徴とする請求項１７から２０のいずれかに記載の消耗品回収処理プログラムを記録した記録媒体。
【請求項２２】
前記ユーザ固有の情報が消耗品に付される場合、当該ユーザ固有の情報を消耗品に付す手段としては、個々のユーザ固有の情報が記述されたラベルを個々のユーザごとに作成しておき、そのラベルを消耗品に添付するか、消耗品に直接印刷可能である場合には個々のユーザ固有の情報を消耗品に印刷するかの少なくとも一方を用いてユーザ固有の情報を消耗品に付すことを特徴とする請求項２１記載の消耗品回収処理プログラムを記録した記録媒体。
【請求項２３】
前記ユーザ固有の情報は、ユーザが所持可能な記録媒体に記録され、消耗品廃棄時にその記録媒体から取得されるようにしたことを特徴とする請求項１７から２０のいずれかに記載の消耗品回収処理プログラムを記録した記録媒体。
【請求項２４】
前記消耗品の廃棄時において得られるユーザ固有の情報およびユーザプロファイルは、当該消耗品の製造者または当該消耗品の回収を行う回収者とは異なるデータ管理者が管理することを可能とした請求項１７から２３のいずれかに記載の消耗品回収処理プログラムを記録した記録媒体。
【請求項２５】
筐体表面部にメーカーが発行した商品ＩＤとユーザＩＤとが付されたことを特徴とする消耗品。
【請求項２６】
前記ユーザＩＤは、ユーザがユーザ情報を前記メーカーに登録した際に前記メーカーによって前記ユーザ情報と対応付けて発行されたものであり、
前記ユーザが前記消耗品を販売店で廃棄した際に、前記商品ＩＤと前記ユーザＩＤとは前記販売店における読み取り装置で読み取ることが可能であることを特徴とする請求項２５記載の消耗品。
【請求項２７】
前記商品ＩＤと前記ユーザＩＤはバーコードであり、前記読み取り装置はバーコードリーダーであることを特徴とする請求項２５または２６記載の消耗品。
【請求項２８】
前記消耗品はインクカートリッジであることを特徴とする請求項２５から２７のいずれかに記載の消耗品。
【手続補正３】
【補正対象書類名】明細書
【補正対象項目名】００２４
【補正方法】変更
【補正の内容】
【００２４】
また、ユーザ固有の情報を読み取ることによって得られた個人データや、ユーザプロファイルは信頼できるデータ管理者に管理させることも可能で、これによって、ユーザの個人情報が第３者に漏れ出るのを防ぐのに有効なものとなる。
また、本発明の消耗品は、筐体表面部にメーカーが発行した商品ＩＤとユーザＩＤとが付されたことを特徴とする。
また、本発明の消耗品は、前記ユーザＩＤは、ユーザがユーザ情報を前記メーカーに登録した際に前記メーカーによって前記ユーザ情報と対応付けて発行されたものであり、前記ユーザが前記消耗品を販売店で廃棄した際に、前記商品ＩＤと前記ユーザＩＤとは前記販売店における読み取り装置で読み取ることが可能であることを特徴とする。
また、本発明の消耗品は、前記商品ＩＤと前記ユーザＩＤはバーコードであり、前記読み取り装置はバーコードリーダーであることを特徴とする。
更に、本発明の消耗品は、インクカートリッジであることを特徴とする。